(57)【要約】【課題】ユーザの利便性を高めることのできる表示装置を提供する。【解決手段】本発明の一態様に係るテレビ（１０）は、ＬＣＤ（１１０）と、テレビ（１０）の周囲の音声を取得するマイク（１２１）と、周囲の音声を複数のタイプの何れかに分類するタイプ分類部（１３）と、分類されたタイプに関連するキーワードおよびお勧め番組の少なくとも何れかを検索するキーワード検索部（１４）およびお勧め番組検索部（１５）と、検索結果を表示する表示制御部（１６）と、を備えている。【選択図】図１
2014072586.tif 000002
【特許請求の範囲】
【請求項１】
表示部と、
当該表示装置の周囲の音声を取得する取得手段と、
上記取得手段によって取得された上記周囲の音声を複数のタイプの何れかに分類する分類手段と、
上記分類手段によって分類されたタイプに関連するキーワードおよびお勧め番組の少なくとも何れかを検索する検索手段と、
上記検索手段によって検索されたキーワードおよびお勧め番組の少なくとも何れかを検索結果として上記表示部に表示する表示手段と、を備えている、
ことを特徴とする表示装置。
【請求項２】
上記検索手段は、上記複数のタイプの各々と、キーワードおよびお勧め番組の少なくとも何れかとが対応付けられた対応情報を参照して、上記分類手段によって分類されたタイプに関連するキーワードおよびお勧め番組の少なくとも何れかを検索する、
ことを特徴とする請求項１に記載の表示装置。
【請求項３】
上記表示手段は、上記検索結果を、上記表示部における、コンテンツの表示される第１の表示領域とは異なる第２の表示領域に表示する、
ことを特徴とする請求項１または２に記載の表示装置。
【請求項４】
上記表示手段は、上記検索結果を、上記表示部に表示されているコンテンツがＣＭである期間内にのみ表示する、
ことを特徴とする請求項１から３の何れか１項に記載の表示装置。
【請求項５】
上記表示手段は、上記第２の表示領域の大きさを、上記周囲の音声の音量の大きさに応じて設定する、
ことを特徴とする請求項３に記載の表示装置。
【請求項６】
上記表示手段は、上記検索結果の表示時間の長さを、上記周囲の音声の継続時間の長さに応じて設定する、
ことを特徴とする請求項３に記載の表示装置。
【請求項７】
表示部を備えた表示装置の表示方法であって、
上記表示装置の周囲の音声を取得する取得ステップと、
上記取得ステップにおいて取得された上記周囲の音声を複数のタイプの何れかに分類する分類ステップと、
上記分類ステップにおいて分類されたタイプに関連するキーワードおよびお勧め番組の少なくとも何れかを検索する検索ステップと、
上記検索ステップにおいて検索されたキーワードおよびお勧め番組の少なくとも何れかを検索結果として上記表示部に表示する表示ステップと、を含んでいる、
ことを特徴とする表示方法。
【請求項８】
請求項１から６の何れか１項に記載の表示装置を備えている、
ことを特徴とするテレビジョン受像機
【請求項９】
コンピュータを請求項１から６の何れか１項に記載の表示装置として動作させるためのプログラムであって、上記コンピュータを上記表示装置の各手段として機能させるプログラム。
【請求項１０】
請求項９に記載のプログラムを記録したコンピュータ読み取り可能な記録媒体。
【発明の詳細な説明】
【技術分野】
【０００１】
本発明は、表示装置、および、表示装置の表示方法に関する。また、表示装置を備えるテレビジョン受像機、表示装置としてコンピュータを動作させるためのプログラム、および、そのようなプログラムを記録された記録媒体に関する。
【背景技術】
【０００２】
近年、ユーザの利便性を向上させることを目的として、ユーザがキーボードやマウス等を用いて直接入力を行わなくとも、音声認識によって自動的に処理を実行する表示装置（例えば、テレビジョン受像機、および、スマートフォンなど）が提案されてきている。このような表示装置では、例えば、ユーザの発した言葉を音声認識することにより、インターネット検索や文章入力などを行うことができる。
【０００３】
しかし、このような表示装置では、ユーザが当該表示装置に対して、ユーザの意図した処理を表示装置に実行させるための言葉を発する必要がある。
【０００４】
これに対し、特許文献１には、コンテンツの音声信号からキーワードとなる検索キーを抽出し、抽出した検索キーからキーワードを選択して検索を行う情報検索装置が記載されている。
【０００５】
また、ユーザが言葉を発して明示的に音声を入力する場合には、ユーザは、自身が自覚しているニーズに基づいて音声の入力を行うことになる。
【０００６】
一方で、ニーズには、ユーザ自身が自覚していないもの、もしくは、将来的にニーズとなるものもある。このような、潜在的なニーズに関する情報は、周囲の音声に埋め込まれている場合も多い。
【０００７】
この点に関し、特許文献２には、周囲の状態（例えば音など）に関連した広告を表示する技術が開示されている。
【先行技術文献】
【特許文献】
【０００８】
【特許文献１】特開平１１−１６１６６１号公報（１９９９年６月１８日公開）
【特許文献２】米国特許第８１３８９３０号明細書（２０１２年３月２０日）
【発明の概要】
【発明が解決しようとする課題】
【０００９】
特許文献１に記載の技術では、入力された音声信号、つまり、入力されたコンテンツを構成する音声信号から抽出したキーワードを利用して検索を行うため、ユーザの所望する検索結果が得られることが少なく、利便性が低いという問題があった。
【００１０】
また、特許文献２に記載の技術では、周囲のどのような音に基づいて広告を表示するのかが不明であり、また、効果的な表示とならない場合もあった。
【００１１】
本発明は、上記の課題を解決するためになされたものであり、その主たる目的は、ユーザの利便性を高めることのできる表示装置を提供することにある。
【課題を解決するための手段】
【００１２】
本発明の一態様に係る表示装置は、上記の課題を解決するために、表示部と、当該表示装置の周囲の音声を取得する取得手段と、上記取得手段によって取得された上記周囲の音声を複数のタイプの何れかに分類する分類手段と、上記分類手段によって分類されたタイプに関連するキーワードおよびお勧め番組の少なくとも何れかを検索する検索手段と、上記検索手段によって検索されたキーワードおよびお勧め番組の少なくとも何れかを検索結果として上記表示部に表示する表示手段と、を備えている、ことを特徴としている。
【００１３】
また、本発明の一態様に係る表示装置の表示方法は、上記の課題を解決するために、表示部を備えた表示装置の表示方法であって、上記表示装置の周囲の音声を取得する取得ステップと、上記取得ステップにおいて取得された上記周囲の音声を複数のタイプの何れかに分類する分類ステップと、上記分類ステップにおいて分類されたタイプに関連するキーワードおよびお勧め番組の少なくとも何れかを検索する検索ステップと、上記検索ステップにおいて検索されたキーワードおよびお勧め番組の少なくとも何れかを検索結果として上記表示部に表示する表示ステップと、を含んでいる、ことを特徴としている。
【発明の効果】
【００１４】
上記の構成によれば、表示装置は、ユーザの利便性を高めることができる。
【図面の簡単な説明】
【００１５】
【図１】本発明の一実施形態に係るテレビの備える制御部の構成を示すブロック図である。
【図２】本発明の一実施形態に係るテレビの構成を示すブロック図である。
【図３】本発明の一実施形態に係るテレビの概観を示す図である。
【図４】本発明の一実施形態に係るテレビの備える音声識別部における識別モード切替処理の流れを示すフローチャートである。
【図５】本発明の一実施形態に係る対応テーブルの一例を示す図である。
【図６】本発明の一実施形態に係るテレビの備えるＬＣＤに表示される表示画面の一例を示す図である。
【図７】本発明の一実施形態に係るテレビにおける提示情報検索処理の流れをしめすフローチャートである。
【図８】本発明の一実施形態に係るテレビのＬＣＤに表示される表示画面の一例を示す図である。
【図９】本発明の一実施形態に係るテレビのＬＣＤに放送番組と提示情報とが表示されている表示画面の一例を示す図である。
【図１０】本発明の一実施形態に係るテレビにおける、外部音声の音量が大きい場合の表示画面の一例を示す図である。
【図１１】本発明の一実施形態に係るテレビにおける、外部音声の音量が大きい場合の表示画面の他の一例を示す図である。
【図１２】本発明の一実施形態に係るテレビにおける、外部音声の音量が大きい場合の表示画面のさらに他の一例を示す図である。
【図１３】本発明の一実施形態に係るテレビにおいて、外部音声の音量が大きい場合に提示情報表示領域を分割した場合の表示画面の一例を示す図である。
【図１４】本発明の一実施形態に係るテレビにおける、外部音声の音量が小さい場合の表示画面の一例を示す図である。
【図１５】本発明の一実施形態に係るテレビにおける、外部音声の音量が小さい場合の表示画面の他の一例を示す図である。
【図１６】本発明の一実施形態に係るテレビにおいて提示情報の選択操作を行う際の、表示画面の遷移を示す画面遷移図である。
【発明を実施するための形態】
【００１６】
本発明の一実施形態に係る表示装置について、図面に基づいて説明すれば以下のとおりである。なお、本実施形態に係る表示装置はテレビジョン受像機として実現されているので、以下ではこれを「テレビ」と呼ぶ。ただし、本発明の適用範囲は、テレビに限定されるものではない。
【００１７】
〔テレビの構成〕
まず、本実施形態に係るテレビ１０の構成を、図２を参照して説明する。図２は、本実施形態に係るテレビ１０の構成を示すブロック図である。
【００１８】
テレビ１０は、図２に示すように、外部入力端子１０１、地上デジタル放送チューナ１０２、衛星放送チューナ１０３、録画再生部１０４、ＢＤドライブ１０５、映像セレクタ１０６、映像処理回路１０７、ＯＳＤ（On-Screen Display）生成部１０８、ＬＣＤ（Liquid Crystal Display）コントローラ１０９、ＬＣＤ１１０（表示部）、音声セレクタ１１１、音声処理回路１１２、アンプ１１３、スピーカ１１４、通信部１１５、ＲＯＭ１１６、ＲＡＭ１１７、制御部１１８、赤外線受光部１１９、カメラ１２０、および、マイク１２１（取得手段）を備えている。
【００１９】
図２においては、映像信号の経路を実線で、音声信号の経路を１点鎖線で、データや制御信号の経路（バス）を太線で示している。また、図２に示すように、１１５テレビ１０は、通信部１１５を介してネットワーク３０に接続されている。なお、図２に示すように、テレビ１０は、リモートコントローラ（リモコン）２０によって遠隔操作が可能に構成されている。
【００２０】
（外部入力端子）
外部入力端子１０１は、映像入力端子１０１ａと音声入力端子１０１ｂとを含む。映像入力端子１０１ａは、映像信号を入力するためのものであり、例えば、ＤＶＩ端子である。音声入力端子１０１ｂは、音声信号を入力するためのものであり、例えば、Ｓ／ＰＤＩＦ端子である。ただし、外部入力端子１０１は、これに限定されず、映像入力端子１０１ａと音声入力端子１０１ｂとが一体化されたＨＤＭＩ端子などであってもよい。
【００２１】
（チューナ）
地上デジタル放送チューナ１０２は、地上デジタル放送により放送される放送番組を受信するためのチューナである。地上デジタル放送チューナ１０２は、例えば、受信信号をアナログベースバンド信号に変換するＲＦ部、アナログベースバンド信号をデジタルベースバンド信号に変換するＡＤＣ部、デジタルベースバンド信号からＭＰＥＧ２ストリームを復調する復調部、および、ＭＰＥＧ２ストリームから映像信号および音声信号を復号する復号部により構成することができる。
【００２２】
地上デジタル放送チューナ１０２により復調されたＭＰＥＧ２ストリームは、バスを介して録画再生部１０４に供給される。また、地上デジタル放送チューナ１０２により復号された映像信号および音声信号は、それぞれ、映像セレクタ１０６および音声セレクタ１１１に供給さる。なお、地上デジタル放送チューナ１０２が何れのチャンネルを復調対象として選択するかは、制御部１１８により制御される。
【００２３】
なお、地上デジタル放送チューナ１０２は、異なるチャンネルを介して放送される２つのＭＰＥＧ２ストリームを同時に復調することが可能なダブルチューナであることが好ましい。この場合、地上デジタル放送チューナ１０２は、選局対象チャンネルとして選択した第１のチャンネルを介して放送されるＭＰＥＧ２ストリームを録画再生部１０４に供給すると共に、そのＭＰＥＧ２ストリームから復号した映像信号および音声信号を映像セレクタ１０６および音声セレクタ１１１に供給する。また、地上デジタル放送チューナ１０２は、録画対象チャンネルとして選択した第２のチャンネルを介して放送されるＭＰＥＧ２ストリームを録画再生部１０４に供給する。
【００２４】
もちろん、本発明に係る地上デジタル放送チューナ１０２は、ダブルチューナに限定されるものではなく、例えば、シングルチューナであってもよく、３つ以上のチューナを備える複数のチューナであってもよい。地上デジタル放送チューナ１０２がシングルチューナである場合には、ユーザが放送番組を視聴していないときに限って、放送番組を表すＭＰＥＧ２ストリームを録画再生部１０４に供給することができる。また、地上デジタル放送チューナ１０２が複数のチューナによって構成される場合には、チャンネル毎、放送波毎、又は、視聴者毎（例えば、お父さん、お母さん、及び、子供など）に、異なるチャンネルを介して放送される放送番組を表すＭＰＥＧ２ストリームを録画再生部１０４に供給することができる。
【００２５】
衛星放送チューナ１０３は、衛星放送により放送される放送番組を受信するためのチューナである。衛星放送チューナ１０３は、放送衛星を用いて衛星放送されるＢＳ放送番組を受信するＢＳ放送用チューナ、及び、通信衛星を用いて衛星放送されるＣＳ放送番組を受信するＣＳ放送用チューナを備えている。また、衛星放送チューナ１０３は、例えば、受信信号をアナログベースバンド信号に変換するＲＦ部、アナログベースバンド信号をデジタルベースバンド信号に変換するＡＤＣ部、デジタルベースバンド信号からＭＰＥＧ２ストリームを復調する復調部、および、ＭＰＥＧ２ストリームから映像信号を復号する復号部により構成することができる。
【００２６】
衛星放送チューナ１０３により復調されたＭＰＥＧ２ストリームは、録画再生部１０４に供給される。また、衛星放送チューナ１０３により復号された映像信号および音声信号は、それぞれ、映像セレクタ１０６および音声セレクタ１１１に供給さる。なお、衛星放送チューナ１０３が何れのチャンネルを介して伝送されるＭＰＥＧ２データストリームを復調するかは、制御部１１８により選択される。
【００２７】
なお、本実施形態における衛星放送チューナ１０３が備えるＢＳ放送用チューナ及びＣＳ放送用チューナはそれぞれ、地上デジタル放送チューナ１０２と同様、異なるチャンネルを介して放送される２つの放送番組を同時に受信することが可能なダブルチューナであることが好ましい。
【００２８】
（録画再生部）
録画再生部１０４は、地上デジタル放送チューナ１０２および衛星放送チューナ１０３の何れかからＭＰＥＧ２ストリームを取得し、取得したＭＰＥＧ２ストリームを記録装置に書き込む。また、録画再生部１０４は、録画部及び再生部（何れも不図示）を備えている。
【００２９】
録画部は、テレビ１０に内蔵されたＢＤドライブ１０５、テレビ１０に内蔵されたＨＤドライブ（不図示）、および、ＵＳＢ（Universal Serial Bus）インターフェース（不図示）に接続されたＵＳＢ−ＨＤドライブ（不図示）などを、ＭＰＥＧ２ストリームを記録するための記録装置として利用することができる。また、再生部は、記録装置からＭＰＥＧ２ストリームを読み出し、読み出したＭＰＥＧ２ストリームから映像信号および音声信号を復号し、それぞれ、映像セレクタ１０６および音声セレクタ１１１に供給する。
【００３０】
（映像セレクタ）
映像セレクタ１０６には、上述した４種類の映像信号が供給される。すなわち、（１）外部入力端子１０１（特に映像入力端子１０１ａ）から入力された映像信号、（２）地上デジタル放送チューナ１０２にて復号された映像信号、（３）衛星放送チューナ１０３にて復号された映像信号、および、（４）録画再生部１０４（特に再生部）にて復号された映像信号が入力される。映像セレクタ１０６は、上記（１）〜（４）の映像信号のうちの何れか１つを選択する。映像セレクタ１０６によって選択された映像信号は、映像処理回路１０７に供給される。なお、映像セレクタ１０６が何れの映像信号を選択するかは、制御部１１８によって制御される。
【００３１】
（映像処理回路）
映像処理回路１０７は、映像セレクタ１０６から供給された映像信号に画質調整処理を施す。また、映像処理回路１０７は、映像セレクタ１０６から供給された映像信号にスケーリング処理を施す。ここで、画質調整処理とは、例えば、映像信号を加工することによって、その映像信号が表す映像の輝度、シャープネス、および、コントラストの少なくとも何れかを変更することを指す。また、スケーリング処理とは、映像信号を加工することによって、その映像信号が表す映像のサイズを相似拡大または相似縮小することを指す。映像処理回路１０７によって加工された映像信号は、ＬＣＤコントローラ１０９に供給される。なお、映像処理回路１０７が画質およびサイズをどのように変更するかは、制御部１１８によって制御される。
【００３２】
（ＯＳＤ生成部）
ＯＳＤ生成部１０８は、制御部１１８から供給されたＯＳＤデータからＯＳＤ画像を生成（レンダリング）する。ＯＳＤ生成部１０８が生成するＯＳＤ画像としては、電子番組表などが挙げられる。ＯＳＤデータとしては、例えば、ＳＶＧ（Scalable Vector Graphics）を用いることができる。ＯＳＤ生成部１０８により生成されたＯＳＤ画像は、映像処理回路１０７から供給された映像信号に重畳され、ＬＣＤコントローラ１０９に供給される。
【００３３】
また、ＯＳＤ生成部１０８は、制御部１１８からの通知に基づき、ＯＳＤ画像として、提示情報表示画面を生成する。なお、提示情報表示画面の詳細については、図面を変えて後述する。
【００３４】
（ＬＣＤコントローラ、ＬＣＤ）
ＬＣＤコントローラ１０９は、映像処理回路１０７から供給された映像信号に基づいて、その映像信号が表す映像を表示するようにＬＣＤ１１０を駆動する。また、ＯＳＤ生成部１０８からＯＳＤ画像が供給されている場合、ＬＣＤコントローラ１０９は、映像処理回路１０７から供給された映像信号にＯＳＤ画像が重畳されたものに基づいて、その映像信号が表す映像を表示するようにＬＣＤ１１０を駆動する。
【００３５】
（音声セレクタ）
音声セレクタ１１１には、上述した４種類の音声信号が供給される。すなわち、（１）外部入力端子１０１（特に音声入力端子１０１ｂ）から入力された音声信号、（２）地上デジタル放送チューナ１０２にて復号された音声信号、（３）衛星放送チューナ１０３にて復号された音声信号、および、（４）録画再生部１０４（特に再生部）にて復号された音声信号が入力される。音声セレクタ１１１は、上記（１）〜（４）の音声信号のうちの何れか１つを選択する。
【００３６】
音声セレクタ１１１によって選択された音声信号は、音声処理回路１１２に供給される。なお、音声セレクタ１１１が何れの音声信号を選択するかは、制御部１１８によって制御される。ただし、映像セレクタ１０６における映像の選択と、音声セレクタ１１１における音声の選択とは連動しており、例えば、映像セレクタ１０６が地上デジタル放送チューナ１０２から供給された映像信号を選択しているときには、音声セレクタ１１１も地上デジタル放送チューナ１０２から供給された音声信号を選択する。
【００３７】
（音声処理回路）
音声処理回路１１２は、音声セレクタ１１１から供給された音声信号に音量調整処理を施す。また、音声処理回路１１２は、音声セレクタ１１１から供給された音声信号に音質調整処理を施す。ここで、音量調整処理とは、音声信号を加工することによって、その音声信号が表す音声の音量を変更することを指す。また、音質調整処理とは、音声信号を加工することによって、その音声信号が表す音声の周波数特性を変更すること（例えば、低域の強調や高域の強調など）を指す。音声処理回路１１２によって加工された音声信号は、アンプ１１３に供給される。なお、音声処理回路１１２によって音量および音質をどのように変更するかは、制御部１１８によって制御される。
【００３８】
（アンプ、スピーカ）
アンプ１１３は、音声処理回路１１２から供給された音声信号に基づいて、その音声信号が表す音声を出力するようにスピーカ１１４を駆動する。
【００３９】
（制御部）
制御部１１８は、赤外線受光部１１９を介してリモコン２０から受信したリモコン信号、カメラ１２０が撮像した画像、および、マイク１２１において取得したテレビ１０の周囲の音声（以降、外部音声とも呼称する）に応じて上記各部を制御する。赤外線受光部１１９を用いた制御としては、例えば、地上デジタル放送チューナ１０２および衛星放送チューナ１０３の受信チャンネルをリモコン信号に応じて切り替える制御や、映像セレクタ１０６および音声セレクタ１１１にて選択する映像信号および音声信号をリモコン信号に応じて切り替える制御などが挙げられる。また、カメラ１２０を用いた制御としては、例えば、映像処理回路１０７にて画質をどのように調整するかを、撮像した画像に基づいて特定した視聴者に応じて切り替える制御などが挙げられる。
【００４０】
また、制御部１１８は、マイク１２１において取得した外部音声に基づき、外部音声に関連したキーワードおよびお勧め番組などのユーザへの提示情報を検索し（提示情報検索処理とも記載する）、ＬＣＤ１１０に表示する。なお、提示情報検索処理、および、提示情報の表示については、図面を変えて後述する。
【００４１】
さらに、制御部１１８は、各放送局から提供されるＥＰＧ（Electronic Program Guide）データから放送番組テーブルを作成する機能を有している。なお、各放送局から提供されるＥＰＧデータは、例えば、地上デジタル放送チューナ１０２又は衛星放送チューナ１０３を用いて取得してもよいし、通信部１１５を介して、ネットワーク３０（例えば、インターネットなど）に接続されたサーバから取得してもよい。
【００４２】
（ＲＯＭ、ＲＡＭ）
ＲＯＭ１１６は、制御部１１８によって実行されるプログラムなどの固定データが格納される、読み出し可能かつ書き込み不能なメモリである。一方、ＲＡＭ１１７は、制御部１１８が演算のために参照するデータや、制御部１１８が演算によって生成したデータなどの可変データが格納される、読み出し可能かつ書き込み可能なメモリである。例えば、放送番組テーブル、および、後述する対応テーブル（対応情報）は、このＲＡＭ１１７に格納される。
【００４３】
（通信部）
通信部１１５は、インターネットなどのネットワーク３０をテレビ１０に接続するためのインターフェースである。通信部１１５としては、例えば、インターネットに接続可能なイーサーネット（登録商標）インターフェースを挙げることができるが、これに限定されるものではない。
【００４４】
（その他のインターフェース）
テレビ１０は、通信部１１５以外にも、外部機器を接続可能なインターフェースを備えていてもよい。外部機器を接続可能なインターフェースとしては、例えば、ＵＳＢ機器をテレビ１０に接続可能なＵＳＢインターフェースを挙げることができる。テレビ１０に接続可能なＵＳＢ機器としては、ＨＤ（ハードディスク）ドライブなどの記録装置が代表的である。
【００４５】
なお、テレビ１０の備える、外部機器を接続するためのインターフェースは、ＵＳＢインターフェースに限定されない。すなわち、ＵＳＢインターフェースは、例えば、ＡＴＡ（Advanced Technology Attachment）、ＡＴＡＰＩ（ATA Packet Interface）、ＩＥＥＥ１３９４、ＨＤＭＩ（High-Definition Multimedia Interface）、および、ＬＡＮなどの有線接続用インターフェース、あるいは、ＩＥＥＥ８０２１１などの無線接続用インターフェースに置換することが可能である。
【００４６】
さらに、ＳＤカードが接続されている場合には、このＳＤカードを外部機器として利用してもよい。
【００４７】
また、本実施形態においては、地上デジタル放送の方式として、ＭＰＥＧ２ストリームを多重化する方式（米国におけるＡＴＳＣ方式や日本におけるＩＳＤＢ−Ｔ方式など）を想定しているが、本発明はこれに限定されるものではない。すなわち、例えば、ＭＰＥＧ２ストリームを多重化する代わりに、ＭＰＥＧ４ストリーム等を多重化する方式（欧州におけるＤＶＢ−Ｔ／ＤＶＢ−Ｔ２方式など）に対しても本発明を適用することができる。後者の場合、復調したＭＰＥＧ４ストリームをそのまま記録媒体に記録する構成を採用してもよいし、あるいは、復調したＭＰＥＧ４ストリームをＭＰＥＧ２ストリームに変換して記録媒体に記録する構成を採用してもよい。
【００４８】
なお、本実施形態では、テレビ１０が放送番組をＬＣＤ１１０に表示する場合を例に挙げて説明するが、テレビ１０の表示するコンテンツは放送番組に限定されるものではなく、テレビ１０は、動画像および静止画像など何れのコンテンツを表示することもできる。
【００４９】
〔制御部の構成〕
次に、制御部１１８の構成について、図１、図３および図４を参照して説明する。図１は、本実施形態に係るテレビ１０の備える制御部１１８の構成を示すブロック図である。
【００５０】
制御部１１８は、提示情報検索処理を実行し、提示情報をＬＣＤ１１０に表示するため、図１に示すように、音声識別部１１、特徴抽出部１２、タイプ分類部１３（分類手段）、キーワード検索部１４（検索手段）、お勧め番組検索部１５（検索手段）、および、表示制御部１６（表示手段）を備えている。また、図１に示すように、ＲＡＭ１１７には、放送番組テーブルが格納されている。
【００５１】
（音声識別部）
音声識別部１１は、マイク１２１が取得した音声から、テレビ１０のスピーカ１１４から出力されたテレビ音声と、テレビ１０の周囲の音声である外部音声とを識別する。
【００５２】
なお、音声識別部１１は、以下に示す方法によって、テレビ音声と外部音声とを識別することができるが、テレビ音声と外部音声とを識別する方法は、これに限定されるものではない。
【００５３】
本実施形態に係るテレビ１０の備える制御部１１８の音声識別部１１においてテレビ音声と外部音声とを識別する方法の一例について、図３を参照して説明する。図３は、本実施形態に係るテレビ１０の概観を示す図である。
【００５４】
本実施形態に係るテレビ１０は、まず、音声識別部１１において、図３に示すように、スピーカ１１４付近に設置されたマイク１２１から入力された音声と、スピーカ１１４から遠い位置に設置されたマイク１２１から入力された音声とを比較し、その差分を取る。以降では、便宜的に、スピーカ１１４付近に設置されたマイク１２１から入力された音声を音声Ａと呼称し、スピーカ１１４から遠い位置に設置されたマイク１２１から入力された音声を音声Ｂと呼称する。
【００５５】
具体的には、音声識別部１１は、まず、音声Ａおよび音声Ｂをそれぞれスペクトル変換し、音声Ａのスペクトルおよび音声Ｂのスペクトルを算出する。
【００５６】
次に、音声識別部１１は、音声Ａのスペクトルから、音声Ｂのスペクトルを減算することにより、音声Ａと音声Ｂとの差分を取り、当該差分をテレビ音声と判定する。つまり、音声識別部１１は、音声Ｂよりも、音声Ａに多く含まれるスペクトルをテレビ音声と判定する。
【００５７】
そして、音声識別部１１は、上述のように判定したテレビ音声を示すスペクトルを、音声Ｂに含まれるスペクトルから減算することにより得られたスペクトルを、外部音声として識別する。
【００５８】
さらに、音声識別部１１は、識別した外部音声から人が話す言葉とそれ以外の音（いわゆる環境音）とを識別する必要がある場合には、人が話す言葉を精度よく識別する言葉識別モードと、環境音を精度よく識別する環境音識別モードとを切り替えても良い。なお、音声識別部１１における識別モードとして、言葉識別モードと環境音識別モードとを切り替える処理を、識別モード切替処理とも呼称する。
【００５９】
なお、識別モードが言葉識別モードである場合には、音声識別部１１は、例えば、人の声の周波数帯域（例えば、１００Ｈｚ〜２ｋＨｚなど）以外の周波数帯域を減衰させるバンドパスフィルタによって外部音声を濾波することにより、人の声を識別すればよい。
【００６０】
また、識別モードが環境音識別モードである場合には、音声識別部１１は、外部音声のスペクトルから、バンドパスフィルタによって濾波された外部音声のスペクトルを減算することによって、環境音を識別すればよい。
【００６１】
なお、識別モードが環境音識別モードである場合には、音声識別部１１は、ローパスフィルタおよびハイパスフィルタによって外部音声を濾波することにより、環境音を識別してもよい。具体的には、人の声の周波数帯域よりも低い周波数帯域を通過させるローパスフィルタによって濾波された外部音声と、人の声の周波数帯域よりも高い周波数帯域を通過させるハイパスフィルタによって濾波された外部音声とを組み合わせることにより、環境音を識別すればよい。
【００６２】
（識別モード切替処理）
ここで、図４を参照して、音声識別部１１における識別モード切替処理について説明する。図４は、本実施形態に係るテレビ１０の備える音声識別部１１における識別モード切替処理の流れを示すフローチャートである。
【００６３】
テレビ１０の電源がＯＮ状態に遷移すると、音声識別部１１は、まず、識別モードを環境音識別モードに設定する。
【００６４】
音声識別部１１は、識別モードを環境音識別モードに設定した後、図４に示すように、識別モードの切り替えが指示されたか否かを判定する（ステップＳ１０１）。なお、識別モードの切り替えは、例えば、ユーザがリモコン２０を操作することによって、赤外線受光部１１９を介して指示されればよい。また、テレビ１０のＬＣＤ１１０に表示されるメニュー画面から識別モードの切り替えを指示する項目を選択することによって指示される構成を採用することもできる。
【００６５】
識別モードの切り替えが指示されていないと判定すると（ステップＳ１０１においてＮＯ）、音声識別部１１は、識別モードを環境音識別モードに設定し（ステップＳ１０２）、再び識別モードの切り替えが指示されたか否かを判定する。
【００６６】
つまり、音声識別部１１は、識別モードの切り替えが指示された判定するまで（ステップＳ１０１においてＹＥＳ）、ステップＳ１０１〜Ｓ１０２の処理を繰り返す。したがって、テレビ１０の電源がＯＮ状態に遷移した際に環境音識別モードに設定された音声識別部１１の識別モードは、識別モードの切り替えが指示されるまで、維持される。
【００６７】
識別モードの切り替えが指示された判定すると（ステップＳ１０１においてＹＥＳ）、音声識別部１１は、識別モードを環境音識別モードから言葉識別モードに切り替える（ステップＳ１０３）。
【００６８】
また、音声識別部１１の識別モードを言葉識別モードから環境音識別モードに切り替える場合には、リモコン２０を操作することによって、識別モードの切り替えを再度指示すればよい。
【００６９】
（特徴抽出部）
特徴抽出部１２は、音声識別部によって識別された外部音声から、当該外部音声の特徴を抽出する。具体的には、特徴抽出部１２は、外部音声を示す波形から、特徴的な波形を抽出することにより、外部音声の特徴を抽出する。
【００７０】
（タイプ分類部）
タイプ分類部１３は、外部音声のタイプを分類する。具体的には、タイプ分類部１３は、特徴抽出部１２から供給された外部音声の特徴的な波形と、予め分類された複数の典型的な音声のタイプとその音声を示す波形とが各々対応付けられている音声タイプデータベースを参照することにより、外部音声のタイプを分類する。以降では、タイプ分類部１３における外部音声のタイプを分類する処理を、タイプ分類処理とも呼称する。
【００７１】
なお、音声タイプデータベースは、テレビ１０の備えるＲＡＭ１１７に格納されていてもよい。この場合には、タイプ分類部１３は、当該タイプ分類部１３においてタイプ分類処理を実行すればよい。
【００７２】
また、音声タイプデータベースは、テレビ１０にネットワーク３０を介して接続されたサーバ（不図示）などに格納されていてもよい。この場合には、例えば、タイプ分類部１３は、ネットワーク３０を介してサーバから音声タイプデータベースを取得すると共に、当該タイプ分類部１３においてタイプ分類処理を実行してもよい。また、タイプ分類部１３は、特徴抽出部１２から供給された外部音声の特徴的な波形をネットワーク３０を介してサーバに供給すると共に、タイプ分類処理の実行を指示し、その結果を取得することによってタイプ分類処理を実行すればよい。
【００７３】
タイプ分類処理をサーバで行う場合には、サーバに記録されているタイプ分類処理のためのアルゴリズムを容易に更新することができるため、当該アルゴリズムがバージョンアップされた場合などでも、最新のアルゴリズムによってタイプ分類処理を実行することができる。
【００７４】
なお、外部音声のタイプとしては、例えば、犬の鳴き声、車のエンジン音、および、赤ちゃんの泣き声などを挙げることができるが、これに限定されるものではない。
【００７５】
（キーワード検索部）
キーワード検索部１４は、タイプ分類部１３によって分類された外部音声のタイプに関連する１以上のキーワードを検索する。
【００７６】
キーワード検索部１４は、例えば、外部音声のタイプに関連するキーワードを、テレビ１０にネットワーク３０を介して接続されたサーバから検索すればよい。また、キーワード検索部１４は、外部音声のタイプに関連するキーワードを、テレビ１０のＲＡＭ１１７などに格納されている対応テーブルにおいて外部音声のタイプと対応付けられている検索キーワードを、キーワードとして検索してもよい。なお、対応テーブル、および、検索キーワードについては図面を変えて後述する。
【００７７】
（お勧め番組検索部）
お勧め番組検索部１５は、タイプ分類部１３によって分類された外部音声のタイプに関連する１以上のお勧め番組を検索する。
【００７８】
お勧め番組検索部１５は、例えば、外部音声のタイプに関連するお勧め番組を、ＲＡＭ１１７に格納されている放送番組テーブルから検索する。このとき、お勧め番組検索部１５は、放送番組テーブルに加えて、テレビ１０に内蔵されたＢＤドライブ１０５およびＨＤドライブ、並びに、ＵＳＢ−ＨＤドライブ（不図示）などに記録（録画）された放送番組から、お勧め番組を検索してもよい。
【００７９】
また、お勧め番組検索部１５は、外部音声のタイプに関連するお勧め番組を、テレビ１０のＲＡＭ１１７などに格納されている対応テーブルにおいて外部音声のタイプと対応付けられているお勧め番組のジャンルに対応する番組を、お勧め番組として放送番組テーブルなどから検索してもよい。なお、お勧め番組のジャンルについては図面を変えて後述する。
【００８０】
なお、お勧め番組検索部１５は、検索したお勧め番組に優先順位を設定してもよい。お勧め番組検索部１５は、例えば、検索したお勧め番組が現在放送されている番組である場合には、優先順位を高く設定し、録画再生部１０４によって録画されている番組である場合には、優先順位を低く設定してもよい。
【００８１】
（表示制御部）
表示制御部１６は、キーワード検索部１４およびお勧め番組検索部１５における提示情報の検索結果を示す提示情報表示画面をＬＣＤ１１０に表示するよう、ＯＳＤ生成部１０８およびＬＣＤコントローラ１０９を制御する。なお、表示制御部１６は、お勧め番組に優先順位が設定されている場合には、優先順位の高いお勧め番組から順に表示する。
【００８２】
提示情報表示画面には、キーワード検索部１４によって検索されたキーワード、および、お勧め番組検索部１５によって検索されたお勧め番組の少なくとも何れかが含まれる。なお、提示情報表示画面の詳細については、図面を変えて後述する。
【００８３】
また、表示制御部１６は、提示情報表示画面を表示するＬＣＤ１１０上の領域（提示情報表示領域とも呼称する）の大きさを、外部音声の音量の大きさに応じて設定し、提示情報の表示時間の長さを、外部音声の長さに応じて設定する。例えば、表示制御部１６は、外部音声のタイプを示す特徴の音量が大きいほど提示情報表示領域の大きさを大きく設定する。また表示制御部１６は、外部音声のタイプを示す特徴の継続時間が長いほど提示情報の表示時間の長さを長く設定する。
【００８４】
なお、表示制御部１６は、外部音声の音量が大きいほど提示情報表示領域の大きさを小さく設定してもよいし、外部音声の継続時間が長いほど提示情報の表示時間の長さを短く設定してもよい。
【００８５】
〔対応テーブル〕
次に、外部音声のタイプと、検索キーワードおよびお勧め番組のジャンルとを関連づけている対応テーブルの一例について、図５を参照して説明する。図５は、本実施形態に係る対応テーブルの一例を示す図である。
【００８６】
図５に示すように、対応テーブルには、外部音声のタイプと、検索キーワードと、お勧め番組のジャンルとが、それぞれ関連付けられている。
【００８７】
例えば、図５に示すように、「車のエンジン音」の外部音声のタイプには、検索キーワードとして「車」が関連づけられており、お勧め番組のジャンルとして「車関連の番組」が関連付けられている。また、「赤ちゃんの泣き声」の外部音声のタイプには、検索キーワードとして「赤ちゃん用品」、「オムツ」および「おもちゃ」が関連づけられており、お勧め番組のジャンルとして「子育て番組」および「教育番組」が関連付けられている。
【００８８】
なお、図５では、外部音声のタイプと、検索キーワードおよびお勧め番組のジャンルの双方とが対応づけられた対応テーブルの一例を示しているが、対応テーブルには、検索キーワードおよびお勧め番組のジャンルの少なくとも何れかとが対応づけられていればよい。
【００８９】
〔表示画面〕
次に、本実施形態に係るテレビ１０の備えるＬＣＤ１１０に表示される表示画面の一例について説明する。図６は、本実施形態に係るテレビ１０の備えるＬＣＤ１１０に表示される表示画面の一例を示す図である。図６（ａ）は、大きな提示情報表示領域Ｄが設定されている表示画面の一例を示し、（ｂ）は、標準の大きさの提示情報表示領域Ｄが設定されている表示画面の一例を示し（ｃ）は、小さな提示情報表示領域Ｄが表示されている表示画面の一例を示している。
【００９０】
制御部１１８の備える表示制御部１６は、外部音声が大きい場合には、図６（ａ）に示すように、大きな提示情報表示領域Ｄを設定する。このとき、それまで表示されていた放送番組を表示する領域（コンテンツ表示領域とも呼称する）Ｃは、設定された提示情報表示領域Ｄの分だけ小さくなる。
【００９１】
また、表示制御部１６は、外部音声の大きさが標準である場合には、図６（ｂ）に示すように、標準の大きさの提示情報表示領域Ｄを設定する。このとき、コンテンツ表示領域Ｃは、設定された提示情報表示領域Ｄの分だけ小さくなる。
【００９２】
また、表示制御部１６は、外部音声が小さい場合には、図６（ｃ）に示すように、小さな提示情報表示領域Ｄを設定する。このとき、コンテンツ表示領域Ｃの大きさは、それまで表示されていた大きさから変わらない。表示制御部１６は、提示情報表示領域Ｄをコンテンツ表示領域Ｃに重畳して表示するよう、ＬＣＤコントローラ１０９を制御する。
【００９３】
〔提示情報検索処理〕
次に、テレビ１０における提示情報検索処理について、図７から図９を参照して説明する。図７は、本実施形態に係るテレビ１０における提示情報検索処理の流れをしめすフローチャートである。
【００９４】
図８は、本実施形態に係るテレビ１０のＬＣＤ１１０に表示される表示画面の一例を示す図である。図９は、本実施形態に係るテレビ１０のＬＣＤ１１０に放送番組と提示情報とが表示されている表示画面の一例を示す図である。
【００９５】
テレビ１０は、電源がＯＮ状態に遷移すると、図８に示すように、ＬＣＤ１１０に放送番組を表示する。また、テレビ１０は、ＬＣＤ１１０に放送番組を表示すると、提示情報検索処理を開始する。
【００９６】
図７に示すように、まず、テレビ１０の備える制御部１１８の音声識別部１１は、マイク１２１から入力される音声から、テレビ音声と外部音声とを識別することによって、外部音声を取得する（ステップＳ２０１）。
【００９７】
音声識別部１１によって外部音声を取得すると、特徴抽出部１２は、取得した外部音声から、当該外部音声の特徴を抽出する（ステップＳ２０２）。
【００９８】
特徴抽出部１２によって外部音声の特徴が抽出されると、タイプ分類部１３は、抽出された外部音声の特徴が、ＲＡＭ１１７に格納されている対応テーブルにおいて予め定められているタイプの何れかと一致するか否かを判定する（ステップＳ２０３）。タイプ分類部１３は、これによって、外部音声のタイプを分類する。
【００９９】
なお、タイプ分類部１３は、外部音声の特徴と、対応テーブルにおけるタイプとが一致しない場合には、対応テーブルにおけるタイプのうち外部音声の特徴と最も近いタイプを、外部音声のタイプとして判定してもよい。
【０１００】
外部音声の特徴が対応テーブルにおける何れのタイプとも一致しない場合（ステップＳ２０３においてＮＯ）、再びステップＳ２０１において外部音声を取得する。つまり、テレビ１０は、外部音声の特徴が対応テーブルにおける何れかのタイプと一致すると判定されるまで（ステップＳ２０３においてＹＥＳ）、ステップＳ２０１からステップＳ２０３までの処理を繰り返す。
【０１０１】
外部音声の特徴が対応テーブルにおける何れかのタイプと一致すると判定されると（ステップＳ２０３においてＹＥＳ）、キーワード検索部１４は、外部音声のタイプと関連するキーワードを検索する（ステップＳ２０４）。
【０１０２】
また、キーワードが検索されると、お勧め番組検索部１５は、外部音声のタイプと関連するお勧め番組を検索する（ステップＳ２０５）。
【０１０３】
キーワードおよびお勧め番組が検索されると、表示制御部１６は、図９に示すように、検索されたキーワードおよびお勧め番組を含む提示情報表示画面を、放送番組と共にＬＣＤ１１０に表示する（ステップＳ２０６）。
【０１０４】
なお、本実施形態では、キーワード検索部１４におけるキーワードの検索の後に、お勧め番組検索部１５におけるお勧め番組の検索を実行する場合を例に挙げて説明するが、本発明はこれに限定されるものではない。例えば、お勧め番組が検索された後にキーワードを検索する構成を採用してもよいし、キーワードおよびお勧め番組の何れか一方のみを検索する構成を採用してもよい。
【０１０５】
また、本実施形態では、外部音声の特徴が対応テーブルにおける何れかのタイプと一致すると判定されると、すぐにキーワードおよびお勧め番組の検索を実行する構成を例に挙げて説明したが、本発明はこれに限定されるものではない。例えば、外部音声の特徴が対応テーブルにおける何れかのタイプと一致すると判定されたとき、まず、一致すると判定された外部音声のタイプをＬＣＤ１１０に表示し、その後にキーワードおよびお勧め番組の検索を実行する構成を採用してもよい。
【０１０６】
テレビ１０は、上述の提示情報検索処理を、例えば、放送番組がＬＣＤ１１０に表示されている間に、所定の期間が経過する度に実行すればよい。なお、所定の期間は、例えば１０分、３０分など予め設定されていてもよいし、ユーザによって適宜設定されればよい。ユーザによる所定の期間の設定は、例えば、テレビ１０のＬＣＤ１１０に所定の期間を設定するためのメニュー画面を表示し、リモコン２０を操作することによって設定すればよい。
【０１０７】
また、テレビ１０は、提示情報検索処理を、放送番組の合間に放送されるＣＭが表示されている間に実行してもよい。例えば、テレビ１０は、ＬＣＤ１１０の表示が放送番組からＣＭに切り替った時点で提示情報検索処理を実行し、ＬＣＤ１１０にＣＭが表示されている期間のみＣＭと共に提示情報表示画面を表示すればよい。
【０１０８】
さらに、ステップＳ１０１において取得した外部音声に複数の特徴が含まれている場合には、テレビ１０の備える特徴抽出部１２は、提示情報検索処理におけるステップＳ２０２において複数の特徴を抽出してもよい。なお、複数の特徴には、同一の特徴が間隔をおいて複数回含まれる場合も含まれる（例えば、犬が複数回吠えた場合など）。
【０１０９】
この場合には、タイプ分類部１３は、提示情報検索処理におけるステップＳ２０３において、ステップＳ２０２において抽出された全ての特徴と対応テーブルのタイプとの一致を判定する。また、タイプ分類部１３はステップＳ２０３において最も多くの特徴と一致すると判定したタイプを外部音声のタイプとして分類し、テレビ１０はタイプ分類部１３において分類されたテレビ１０のタイプに基づいてステップＳ２０４〜Ｓ２０６の処理を実行する。
【０１１０】
なお、タイプ分類部１３は、ステップＳ２０３において多くの特徴と一致すると判定した順に、外部音声のタイプに優先順位を設定してもよい。テレビ１０は、設定された優先順位の高い外部音声のタイプから順に、テップＳ２０４〜Ｓ２０６の処理を繰返し実行し、優先順位の高い外部音声のタイプに従って検索された提示情報から順にＬＣＤ１１０に表示する。
【０１１１】
このとき、テレビ１０は、優先順位の高い外部音声のタイプに従って検索された提示情報から順に表示する提示情報を、一定の期間が経過する毎に切り替えて表示してもよいし、切り替える期間を徐々に短くしながら表示してもよい。
【０１１２】
タイプ分類部１３は、さらに、外部音声のタイプの各々を示す各特徴の音量の大きさ、および、外部音声のタイプの各々を示す各特徴の継続時間の長さに応じて、外部音声のタイプの優先順位を設定してもよい。
【０１１３】
なお、本実施形態では、提示情報として、キーワードおよびお勧め番組の少なくとも何れかを表示する構成を例に挙げて説明したが、本発明はこれに限定させるものではない。例えば、提示情報の他の例として、外部音声のタイプに関連したニュースの見出し、放送番組以外の動画像、写真などの静止画像、および、音声データなどを挙げることができる。
【０１１４】
ニュースの見出しを表示する場合には、例えば、キーワード表示領域４１に表示すればよい。また、動画像、静止画像、および、音声データを表示する場合には、例えば、お勧め番組表示領域４２に表示すればよい。もちろん、ニュースの見出しなどを表示する表示領域は、これに限定されず、キーワード表示領域４１およびお勧め番組表示領域４２の何れとも異なる表示領域に表示してもよい。
【０１１５】
また、動画像を表示する場合には、縮小された動画像又は動画像を示すサムネイルおよびファイル名（または、タイトル）などを表示すればよく、再生時間をさらに表示してもよい。静止画像を表示する場合には、縮小された静止画像およびファイル名などを表示すればよく、解像度をさらに表示してもよい。
【０１１６】
また、音声データを表示する場合には、音声データを示すアイコンおよびファイル名などを表示すればよく、再生時間をさらに表示してもよい。外部音声のタイプが「赤ちゃんの泣き声」である場合の音声データを示すアイコンとしては、例えば、「赤ちゃん」のアイコンなどを挙げることができる。また、外部音声のタイプと、音声データを示すアイコンとは、例えば、アイコンテーブルにおいて関連付けられていればよい。なお、アイコンテーブルは、例えば、テレビ１０の備えるＲＡＭ１１７に格納されていてもよいし、ネットワーク３０を介してテレビ１０の通信部１１５に接続されたサーバに格納されていてもよい。
【０１１７】
なお、外部音声のタイプに関連したニュースの見出し、動画像、静止画像および音声データなどの検索は、例えば、ネットワーク３０を介してテレビ１０に接続されたサーバ、ＲＡＭ１１７およびＢＤドライブ１０５などのテレビ１０に内蔵された記録部、および、テレビ１０に接続された外部の記録装置（不図示）などから行えばよい。
【０１１８】
さらに、テレビ１０は、提示情報として、外部音声のタイプに関連した商品情報を表示してもよい。外部音声のタイプが「赤ちゃんの泣き声」である場合の商品情報としては、例えば、「オムツ」および「おもちゃ」などを挙げることができる。なお、商品情報は、例えば、番組表示領域４２に表示すればよいが、これに限定されず、キーワード表示領域４１およびお勧め番組表示領域４２の何れとも異なる表示領域に表示してもよい。
【０１１９】
また、商品情報を表示する場合には、例えば、商品情報の示す商品の静止画像（例えば、商品の写真など）および商品名などを表示すればよく、価格などをさらに表示してもよい。
【０１２０】
〔表示画面〕
次に、テレビ１０の備えるＬＣＤ１１０に表示される表示画面の一例について、図９から図１６を参照して説明する。まず、提示情報がＬＣＤ１１０に放送番組と共に表示された場合の表示画面について、図９を参照して説明する。なお、図９に示す表示画面は、外部音声の音量が標準である場合、すなわち、提示情報表示領域Ｄの大きさが標準である場合の表示画面の一例を示している。
【０１２１】
図９に示すように、放送番組はコンテンツ表示領域Ｃに表示され、提示情報は提示情報表示領域Ｄに表示されている。なお、コンテンツ表示領域Ｃは、図９に示すように、ＬＣＤ１１０の表示領域に対して、長手方向に縮小されることになる。
【０１２２】
また、図９に示すように、提示情報表示領域Ｄには、キーワードを表示するキーワード表示領域４１、お勧め番組を表示するお勧め番組表示領域４２、および、外部音声のタイプを示すタイプ表示領域４３が設けられている。さらに、提示情報表示領域Ｄには、図９に示すように、ユーザが文字列を直接入力することによって検索を行うことのできる検索ボックス４４が表示されている。
【０１２３】
図９に示す一例では、タイプ表示領域４３に「犬の鳴き声」が表示されている。これは、タイプ分類部１３によって分類された外部音声のタイプが「犬の鳴き声」であることを示している。
【０１２４】
また、図９に示すように、キーワード表示領域４１には、キーワード検索部１４によって検索されたキーワードとして、「犬」、「ドッグフード」、および、「ペット」が表示されている。
【０１２５】
さらに、お勧め番組表示領域４２には、お勧め番組検索部１５によって検索されたお勧め番組として「今日のワンワン」が表示されている。なお、お勧め番組表示領域４２には、図９に示すように、お勧め番組を示す画像（例えば、サムネイルなど）に加えて、当該お勧め番組のタイトル、放送局、および、放送日時などが表示されていてもよい。
【０１２６】
なお、図９では、お勧め番組検索部１５によって検索されたお勧め番組が将来放送される番組であって、その動画像（または静止画像）が取得できない場合には、お勧め番組を示す画像を表示しないで、当該お勧め番組のタイトル、放送局、および、放送日時などの情報のみを表示してもよい。
【０１２７】
（外部音声の音量が大きい場合）
次に、外部音声の音量が大きい場合の表示画面の一例について、図１０から図１３を参照して説明する。
【０１２８】
図１０は、外部音声の音量が大きい場合の表示画面の一例を示す図である。図１１は、外部音声の音量が大きい場合の表示画面の他の一例を示す図である。また、図１２は、外部音声の音量が大きい場合の表示画面のさらに他の一例を示す図である。
【０１２９】
外部音声の音量が大きい場合には、図１０に示すように、提示情報表示領域Ｄの大きさが、表示制御部１６によって図９に示す標準の大きさよりも大きく設定される。
【０１３０】
提示情報表示領域Ｄを大きく設定することにより、当該提示情報表示領域Ｄに表示可能な提示情報の量も増えるため、表示制御部１６は、例えば、図１１に示すように、お勧め番組表示領域４２を広くして複数のお勧め番組を表示してもよい。このとき、キーワード表示領域４１を狭くして、キーワード検索部１４によって検索されたキーワードの一部のみを表示してもよい。
【０１３１】
また、キーワード表示領域４１に表示されたキーワード以外のキーワードは、例えば、リモコン２０の備える十字キー（不図示）の右ボタン（不図示）が押下された場合に、現在表示されているキーワードと入れ替わるように表示されてもよい。なお、キーワードおよびお勧め番組の選択操作については、図面を変えて後述する。
【０１３２】
さらに、表示制御部１６は、図１２に示すように、お勧め番組を示す画像、当該お勧め番組のタイトル、放送局、および、放送日時を、１つのボックスにまとめて表示してもよい。図１２に示すようにお勧め番組を表示することにより、お勧め番組表示領域４２のスペースを有効に活用することができるため、より多くのお勧め番組を表示することができる。
【０１３３】
また、図１３に示すように、提示情報表示領域を２つの領域（提示情報表示領域Ｄ１、および、提示情報表示領域Ｄ２）に分割して、それぞれの領域にキーワードおよびお勧め番組を別々に表示してもよい。図１３は、外部音声の音量が大きい場合に提示情報表示領域を分割した場合の表示画面の一例を示す図である。
【０１３４】
図１３に示すように、表示制御部は、提示情報表示領域を、提示情報表示領域Ｄ１と提示情報表示領域Ｄ２とに分割する。
【０１３５】
図１３に示すように、提示情報表示領域Ｄ１には、キーワード表示領域４１と、検索ボックス４４とが設けられている。また、提示情報表示領域Ｄ２には、お勧め番組表示領域４２と、タイプ表示領域４３とが設けられている。
【０１３６】
このように、キーワードに関する提示情報を表示する提示情報表示領域Ｄ１と、それ以外の提示情報を表示する提示情報表示領域Ｄ２とを別々にＬＣＤ１１０に設けることにより、より多くのキーワードおよびお勧め番組をＬＣＤ１１０に表示することができる。また、この構成によって、ユーザは、どの提示情報が、ＬＣＤ１１０上の何れの領域に表示されているかを容易に認識することができる。
【０１３７】
なお、コンテンツ表示領域Ｃは、図１３に示すように、ＬＣＤ１１０の表示領域の長手方向および短手方向の大きさに対して同じ比率で縮小することができるため、テレビ１０は、放送番組のいわゆる縦横比を変更することなく当該放送番組を表示することができる。
【０１３８】
（外部音声の音量が小さい場合）
次に、外部音声の音量が小さい場合の表示画面の一例について、図１４および図１５を参照して説明する。
【０１３９】
図１４は、外部音声の音量が小さい場合の表示画面の一例を示す図である。また、図１５は、外部音声の音量が小さい場合の表示画面の他の一例を示す図である。
【０１４０】
外部音声の音量が小さい場合には、図１４に示すように、提示情報表示領域Ｄの大きさが、表示制御部１６によって図９に示す標準の大きさよりも小さく設定される。
【０１４１】
なお、この場合には、表示制御部１６は、放送番組の縮小は行わず、提示情報表示領域Ｄをコンテンツ表示領域Ｃに重畳してＬＣＤ１１０に表示するようにＬＣＤコントローラ１０９を制御する。
【０１４２】
提示情報表示領域Ｄを小さく設定することにより、当該提示情報表示領域Ｄに表示可能な提示情報の量も減ることになる。
【０１４３】
このため、図１４に示すように、提示情報表示領域Ｄに、検索ボックス４４を表示し、キーワード表示領域４１およびタイプ表示領域４３のみを設けるようにしてもよい。つまり、キーワード、外部音声のタイプ、および、検索ボックス４４のみを提示情報表示領域Ｄに表示し、お勧め番組については表示しないようにすればよい。
【０１４４】
また、図１５に示すように、提示情報表示領域Ｄにお勧め番組表示領域４２およびタイプ表示領域４３のみを設けるようにしてもよい。つまり、お勧め番組および外部音声のタイプのみを提示情報表示領域Ｄに表示し、キーワードおよび検索ボックス４４については表示しないようにすればよい。
【０１４５】
なお、このような場合には、例えば、リモコン２０の備える十字キーの右ボタンまたは左ボタンが押下される度に、図１４に示す提示情報表示領域Ｄと図１５に示す提示情報表示領域Ｄとが入れ替わるように表示されてもよい。
【０１４６】
（選択操作）
次に、テレビ１０における、提示情報の選択操作について、図１６を参照して説明する。
【０１４７】
図１６は、本実施形態に係るテレビ１０において提示情報の選択操作を行う際の、表示画面の遷移を示す遷移図である。図１６（ａ）は、提示情報が表示された際の初期状態において検索ボックス４４がハイライトされた表示画面の一例を示し、（ｂ）は、キーワード「犬」がハイライトされた表示画面の一例を示している。また、図１６（ｃ）は、キーワード「犬と猫」がハイライトされた表示画面の一例を示し、（ｄ）は、キーワード「ドッグフード」がハイライトされた表示画面の一例を示している。さらに、図１６（ｅ）は、お勧め番組「今日のワンワン」がハイライトされた表示画面の一例を示し、（ｄ）は、お勧め番組「世界の犬」がハイライトされた表示画面の一例を示している。
【０１４８】
まず、提示情報が表示されると、初期状態では、図１６（ａ）に示すように、提示情報表示領域Ｄにおける検索ボックス４４がハイライトされている。検索ボックス４４がハイライトされている状態でリモコン２０の備える決定ボタン（不図示）が押下されると、ユーザが文字列を入力可能な検索キーワード入力画面に遷移する。
【０１４９】
図１６（ａ）に示す初期状態において、リモコン２０の十字キーの下ボタンが１回押下されると、（ｂ）に示すように、ハイライトの位置が検索ボックス４４からキーワード「犬」に移動する。なお、図１６（ｂ）に示す状態において、リモコン２０の十字キーの上ボタンが１回押下されると、（ａ）に示す初期状態に戻り、検索ボックス４４がハイライトされる。
【０１５０】
また、図１６（ｂ）に示す状態において、リモコン２０の十字キーの右ボタンが１回押下されると、（ｃ）に示すように、キーワード表示領域４１に表示されるキーワードが入れ替わり、キーワード「犬と猫」がハイライトされる。図１６（ｃ）に示す状態において、リモコン２０の十字キーの左ボタンが１回押下されると、（ｂ）に示す状態に戻り、キーワード「犬」がハイライトされる。
【０１５１】
次に、図１６（ｂ）に示す状態において、リモコン２０の十字キーの下ボタンが１回押下されると、（ｄ）に示すように、ハイライトの位置がキーワード「犬」からキーワード「ドッグフード」に移動する。図１６（ｄ）に示す状態において、リモコン２０の十字キーの左ボタンが１回押下されると、（ｂ）に示す状態に戻り、キーワード「犬」がハイライトされる。
【０１５２】
また、図１６（ｄ）に示す状態において、リモコン２０の十字キーの下ボタンが２回押下されると、（ｅ）に示すように、ハイライトの位置がキーワード「ドッグフード」からお勧め番組「今日のワンワン」に移動する。図１６（ｅ）に示す状態において、リモコン２０の十字キーの上ボタンが２回押下されると、（ｄ）に示す状態に戻り、キーワード「ドッグフード」がハイライトされる。
【０１５３】
さらに、図１６（ｅ）に示す状態において、リモコン２０の十字キーの右ボタンが１回押下されると、（ｆ）に示すように、お勧め番組表示領域４２に表示されるお勧め番組が入れ替わり、お勧め番組「世界の犬」がハイライトされる。図１６（ｆ）に示す状態において、リモコン２０の十字キーの左ボタンが１回押下されると、（ｅ）に示す状態に戻り、お勧め番組「今日のワンワン」がハイライトされる。
【０１５４】
キーワードの何れかがハイライトされている状態でリモコン２０の備える決定ボタンが押下されると、ハイライトされたキーワードによって検索されたキーワード検索結果がＬＣＤ１１０に表示される。なお、キーワード検索結果は、ＬＣＤ１１０全体に表示されてもよいし、提示情報表示領域Ｄに表示されてもよい。
【０１５５】
また、お勧め番組の何れかがハイライトされている状態でリモコン２０の備える決定ボタンが押下されると、ハイライトされたお勧め番組が表示される。なお、ハイライトされたお勧め番組が現在放送中の放送番組である場合、および、すでに放送済の放送番組であって、録画再生部１０４によって録画された放送番組である場合には、当該お勧め番組を再生してもよい。また、ハイライトされたお勧め番組が将来放送される放送番組である場合には、当該放送番組の録画を予約するためのメニュー画面に遷移してもよい。
【０１５６】
なお、図１６に示す表示画面では、提示情報がハイライトされることによって、ユーザによって選択されている提示情報が何れの提示情報であるかを示しているが、ユーザによって選択されている提示情報の表示方法は、これに限定されるものではない。例えば、ユーザによって選択されている提示情報を囲う枠の太さを変更する構成、および、選択されている提示情報を点滅させる構成などを採用することもできる。
〔まとめ〕
本発明の一態様に係る表示装置（テレビ１０）は、上述のように、表示部（ＬＣＤ１１０）と、当該表示装置の周囲の音声（外部音声）を取得する取得手段（マイク１２１）と、上記取得手段によって取得された上記周囲の音声を複数のタイプの何れかに分類する分類手段（タイプ分類部１３）と、上記分類手段によって分類されたタイプに関連するキーワードおよびお勧め番組の少なくとも何れか（提示情報）を検索する検索手段（キーワード検索部１４、お勧め番組検索部１５）と、上記検索手段によって検索されたキーワードおよびお勧め番組の少なくとも何れかを検索結果として上記表示部に表示する表示手段（表示制御部１６）と、を備えている、ことを特徴としている。
【０１５７】
本発明の一態様に係る表示装置の表示方法は、上述のように、表示部を備えた表示装置の表示方法であって、上記表示装置の周囲の音声を取得する取得ステップと、上記取得ステップにおいて取得された上記周囲の音声を複数のタイプの何れかに分類する分類ステップと、上記分類ステップにおいて分類されたタイプに関連するキーワードおよびお勧め番組の少なくとも何れかを検索する検索ステップと、上記検索ステップにおいて検索されたキーワードおよびお勧め番組の少なくとも何れかを検索結果として上記表示部に表示する表示ステップと、を含んでいる、ことを特徴としている。
【０１５８】
上記の構成によれば、上記表示装置は、当該表示装置の周囲の音声に関連するキーワードおよびお勧め番組の少なくとも何れかを検索し、その検索結果を表示する。
【０１５９】
ユーザは、上記表示装置に表示された上記検索結果（上記キーワードおよびお勧め番組の少なくとも何れか）を選択するだけで、上記表示装置に表示されたキーワードまたはお勧め番組を利用することができる。つまり、ユーザは、周囲の環境（音声）に適したキーワードおよびお勧め番組を用いることができる。このため、ユーザは、自身が自覚していなかったニーズについても、上記検索結果によって認識することができる。
【０１６０】
これによって、上記表示装置は、ユーザの利便性を向上させることができる。
【０１６１】
また、本発明の一態様に係る表示装置において、上記検索手段は、上記複数のタイプの各々と、キーワードおよびお勧め番組の少なくとも何れかとが対応付けられた対応情報（対応テーブル）を参照して、上記分類手段によって分類されたタイプに関連するキーワードおよびお勧め番組の少なくとも何れかを検索してもよい。
【０１６２】
上記の構成によれば、上記検索手段は、上記対応情報を参照して上記キーワードおよびお勧め番組の少なくとも何れかを検索する。これによって、上記表示装置は、上記キーワードおよびお勧め番組の少なくとも何れかを、より容易に検索することができる。したがって、上記検索手段は、上記検索結果を、より早くユーザに提示することができる。
【０１６３】
また、本発明の一態様に係る表示装置において、上記表示手段は、上記検索結果を、上記表示部における、コンテンツの表示される第１の表示領域（コンテンツ表示領域Ｃ）とは異なる第２の表示領域（提示情報表示領域Ｄ）に表示してもよい。
【０１６４】
上記の構成によれば、上記表示手段は、上記コンテンツおよび上記検索結果を、上記表示部における異なる領域にそれぞれ表示する。
【０１６５】
これによって、ユーザは、上記コンテンツを視聴しながら、上記検索結果を利用することができる。これによって、上記表示装置は、ユーザの利便性をさらに向上させることができる。
【０１６６】
また、本発明の一態様に係る表示装置において、上記表示手段は、上記検索結果を、上記表示部に表示されているコンテンツがＣＭである期間内にのみ表示してもよい。
【０１６７】
上記の構成によれば、上記表示手段は、上記ＣＭが表示されている期間内にのみ、上記検索結果を表示する。これによって、ユーザは、上記表示部に放送番組が表示されている間は、当該放送番組を楽しむことができ、さらに、上記表示部にＣＭが表示されている間に上記検索結果を利用することができる。したがって、上記表示装置は、ユーザの放送番組の視聴を妨げることなく、ユーザの利便性をさらに向上させることができる。
【０１６８】
また、本発明の一態様に係る表示装置において、上記表示手段は、上記第２の表示領域の大きさを、上記周囲の音声の音量の大きさに応じて設定してもよい。
【０１６９】
発明者の得た知見によれば、潜在的なニーズの重要度は、表示装置の周囲の音声の大きさと相関を有するという傾向がある。
【０１７０】
上記の構成によれば、上記表示手段は、潜在的なニーズの重要度と相関を有するように、上記第２の表示領域の大きさを設定するので、ユーザに対して、上記検索結果をより効果的に提示することができる。
【０１７１】
また、本発明の一態様に係る表示装置において、上記表示手段は、上記検索結果の表示時間の長さを、上記周囲の音声の継続時間の長さに応じて設定してもよい。
【０１７２】
発明者の得た知見によれば、潜在的なニーズの重要度は、表示装置の周囲の音声の継続時間と相関を有するという傾向がある。
【０１７３】
上記の構成によれば、上記表示手段は、潜在的なニーズの重要度と相関を有するように、上記検索結果の表示時間の長さを設定するので、ユーザに対して、上記検索結果をより効果的に提示することができる。
【０１７４】
なお、上記表示装置を備えたテレビジョン受像機も本発明の範疇に含まれる。
【０１７５】
また、コンピュータを本発明に係る表示装置として動作させるためのプログラムであって、上記コンピュータを上記表示装置の各手段として機能させることを特徴とするプログラム、及び、それらのプログラムを記録したコンピュータ読み取り可能な記録媒体も本発明の範疇に含まれる。
【０１７６】
〔ソフトウェアによる実現例〕
最後に、テレビ１０の各ブロック、特にテレビ１０の備える制御部１１８は、集積回路（ＩＣチップ）上に形成された論理回路によってハードウェア的に実現してもよいし、ＣＰＵ（Central Processing Unit）を用いてソフトウェア的に実現してもよい。
【０１７７】
後者の場合、テレビ１０は、各機能を実現するプログラムの命令を実行するＣＰＵ、上記プログラムを格納したＲＯＭ（Read Only Memory）、上記プログラムを展開するＲＡＭ（Random Access Memory）、上記プログラムおよび各種データを格納するメモリ等の記憶装置（記録媒体）などを備えている。そして、本発明の目的は、上述した機能を実現するソフトウェアであるテレビ１０の制御プログラムのプログラムコード（実行形式プログラム、中間コードプログラム、ソースプログラム）をコンピュータで読み取り可能に記録した記録媒体を、上記テレビ１０に供給し、そのコンピュータ（またはＣＰＵやＭＰＵ）が記録媒体に記録されているプログラムコードを読み出し実行することによっても、達成可能である。
【０１７８】
上記記録媒体としては、一時的でない有形の媒体（non-transitory tangible medium）、例えば、磁気テープやカセットテープ等のテープ類、フロッピー（登録商標）ディスク／ハードディスク等の磁気ディスクやＣＤ−ＲＯＭ／ＭＯ／ＭＤ／ＤＶＤ／ＣＤ−Ｒ等の光ディスクを含むディスク類、ＩＣカード（メモリカードを含む）／光カード等のカード類、マスクＲＯＭ／ＥＰＲＯＭ／ＥＥＰＲＯＭ（登録商標）／フラッシュＲＯＭ等の半導体メモリ類、あるいはＰＬＤ（Programmable logic device）やＦＰＧＡ（Field Programmable Gate Array）等の論理回路類などを用いることができる。
【０１７９】
また、テレビ１０を通信ネットワークと接続可能に構成し、上記プログラムコードを通信ネットワークを介して供給してもよい。この通信ネットワークは、プログラムコードを伝送可能であればよく、特に限定されない。例えば、インターネット、イントラネット、エキストラネット、ＬＡＮ、ＩＳＤＮ、ＶＡＮ、ＣＡＴＶ通信網、仮想専用網（Virtual Private Network）、電話回線網、移動体通信網、衛星通信網等が利用可能である。また、この通信ネットワークを構成する伝送媒体も、プログラムコードを伝送可能な媒体であればよく、特定の構成または種類のものに限定されない。例えば、ＩＥＥＥ１３９４、ＵＳＢ、電力線搬送、ケーブルＴＶ回線、電話線、ＡＤＳＬ（Asymmetric Digital Subscriber Line）回線等の有線でも、ＩｒＤＡやリモコンのような赤外線、Ｂｌｕｅｔｏｏｔｈ（登録商標）、ＩＥＥＥ８０２．１１無線、ＨＤＲ（High Data Rate）、ＮＦＣ（Near Field Communication）、ＤＬＮＡ（Digital Living Network Alliance）、携帯電話網、衛星回線、地上波デジタル網等の無線でも利用可能である。なお、本発明は、上記プログラムコードが電子的な伝送で具現化された、搬送波に埋め込まれたコンピュータデータ信号の形態でも実現され得る。
【０１８０】
なお、ここで開示された実施の形態はすべての点で例示であって制限的なものではないと考えられるべきである。本発明の範囲は、上記した説明ではなく、特許請求の範囲によって示され、特許請求の範囲と均等の意味および範囲内でのすべての変更が含まれることが意図される。
【産業上の利用可能性】
【０１８１】
本発明の一態様に係る表示装置は、例えば、テレビジョン受像機、パーソナルコンピュータ、携帯電話、スマートフォン、タブレット型ＰＣ、ＰＤＡ、及び、カーナビゲーションシステムなどに好適に利用することができる。
【符号の説明】
【０１８２】
１０        テレビ（表示装置）
１１        音声識別部
１２        特徴抽出部
１３        タイプ分類部（分類手段）
１４        キーワード検索部（検索手段）
１５        お勧め番組検索部（検索手段）
１６        表示制御部（表示手段）
２０        リモコン
３０        ネットワーク
１０８      ＯＳＤ生成部
１０９      ＬＣＤコントローラ
１１０      ＬＣＤ（表示部）
１１５      通信部
１１７      ＲＡＭ
１１８      制御部
１１９      赤外線受光部
１２１      マイク（取得手段）
【図１】
2014072586.tif 000003
【図２】
2014072586.tif 000004
【図３】
2014072586.tif 000005
【図４】
2014072586.tif 000006
【図５】
2014072586.tif 000007
【図６】
2014072586.tif 000008
【図７】
2014072586.tif 000009
【図８】
2014072586.tif 000010
【図９】
2014072586.tif 000011
【図１０】
2014072586.tif 000012
【図１１】
2014072586.tif 000013
【図１２】
2014072586.tif 000014
【図１３】
2014072586.tif 000015
【図１４】
2014072586.tif 000016
【図１５】
2014072586.tif 000017
【図１６】
2014072586.tif 000018